Podtech/llm-jp-corpus-v4-ja_patent huggingface dataset:
(57)【要約】【課題】  スーパーなどから持ち帰る食品用ビニール袋を生ゴミの水きり用の袋として再利用できるようにする。【解決手段】  複数の針状の突起部とその突起部を貫通するための手段を構成して一体とした開閉弾性体とし、ビニール袋を挟んで一度に複数個の針穴を手軽にあけられるようにした。【選択図】図２
2011079117.tif 000002
【特許請求の範囲】
【請求項１】
食品の保存用に使用されるビニール袋に一度に複数個の針状の穴をあけることが出来るようにしたビニール袋の穴あけ具であって、針状の突起部を複数形成した板片部材内側面と対向する位置に該針状突起部を貫通打ち抜く為の手段を構成した基台板部材が連結部分で開閉弾性体として一体に形成されていることを特徴とするビニール袋の穴あけ具。
【請求項２】
前記針状突起部を貫通打ち抜く為の手段とは、該針状突起部に対向して凹部或は孔部を該基台板部材内側面に形成していることを特徴とする請求項１に記載のビニール袋の穴あけ具。
【請求項３】
開閉弾性体を構成してなる本発明のビニール袋の穴あけ具の該基台板部材の内側表面はコルク又はゴムなどの滑り止め材で構成したことを特徴とする請求項１に記載のビニール袋の穴あけ具。
【発明の詳細な説明】
【技術分野】
【０００１】  本発明は、ビニール袋等に同時に複数個の針状の穴を開けることを目的にしたビニール袋の穴あけ具に関する。
【背景技術】
【０００２】  生ゴミを水切りして捨てるための袋として、ビニール製の穴あき袋を使用する場合は必要時に購入していた。
【発明の概要】
【発明が解決しようとする課題】
【０００３】  生ゴミの水きりの手段の一つに穴あきビニール袋を使用するが、頻繁のゴミ処理にそのコストが大きい。従って、スーパー等から持ち帰る食品収納用のビニール袋などを家庭で必要に応じて簡単に穴を開けられるようにしたことにより前述の欠点を解決しようとするものである。
【課題を解決するための手段】
【０００４】  本発明は、食品の保存用に使用されるビニール袋を挟み込んで一度に複数個の針状の穴をあけることが出来るようにしたビニール袋の穴あけ具であって、針状の突起部を複数形成した板片部材内側面とビニールを挟んで対向する基台板部材内側面に該突起部を受けてビニールを貫通するための手段を構成して一体的に開閉弾性体を形成したことにより問題点を解決している。【０００５】  上述のように開閉弾性体を構成してなる本発明のビニール袋の穴あけ具の該基台板部材は、対向して形成される針状の突起部を貫通打ち抜くための凹部或は孔部を形成し、該基台板部材内側表面は滑り止め材で構成してビニールの逃げを防ぎ穴の位置を正確に捉えることが出来るようにする。【０００６】  上述の様に、本発明のビニール袋の穴あけ具は、食品の保存などにスーパーから持ち帰ったビニール袋を生ゴミの水きり袋として再利用することが出来る。
【図面の簡単な説明】
【０００７】
【図１】  本発明のビニール袋の穴あけ具の全体斜視図
【図２】  同発明のビニール袋の穴あけ具を使用中の姿図
【図３】  同発明のビニール袋の穴あけ具の部分断面図
【図４】  同発明のビニール袋の穴あけ具の部分断面図
【発明を実施するための形態】
【０００８】  以下、本発明の実施の形態について説明する。
【０００９】  図１は本発明の全体図である。針状の突起部（３）を内側に形成した板片部材（１）に対向して孔及び凹部を形成した基台板部材（２）が掴み部で一体に形成し弾性体を構成している。
【００１０】  図２は本発明の使用中の姿図である。
【００１１】  図３は針状の突起部（３）と基台板部材（２）に形成した凹部（４）の部分拡大断面図である。
【００１２】  図４は針状の突起部（３）と基台板部材（２）に形成した孔部（５）の部分拡大断面図である。
【符号の説明】
【００１３】    １  板片部材
２  基台板部材
３  突起部
４  凹部
５  孔部
６  滑り止め材
７  弾性連結部材
８  穴あけ具本体
Ａ  ビニール袋
Ｂ  水切り穴
【図１】
2011079117.tif 000003
【図２】
2011079117.tif 000004
【図３】
2011079117.tif 000005
【図４】
2011079117.tif 000006
(57)【要約】【課題】  管を手軽に繋いだり外したりし、併せて連結する管の外径を変えずに引っ掛かかりを無くした継手を提供する。【解決手段】  継手（２）の両端に切り込み（３）をいれ、端部が撓り連結しようとする管（１）に容易に挿入でき、突起部（４）が管の孔（７）に噛み合い突起部角度（６）の角度により外れなくなる。  解除しようとする時は、お互いを捻ると突起部（５）の角度により突起が管内に潜り込みそのまま抜けば容易に接続を外す事が出来る。【選択図】図１
2011079291.tif 000002
【特許請求の範囲】
【請求項１】
樹脂管（２）又は樹脂丸棒の端部が撓るように切り込み（３）を入れ、突起部（４）を設け連結しようとする管（１）の孔（７）と嵌合させて結合し、突起部の縁角度を管捻り方向（５）と管長手方向（６）とで変えることにより接続と解除が容易になる継手。
【発明の詳細な説明】
【技術分野】
【０００１】  この発明は、電気工事等において管路などにケーブル引き入れに先立ち、呼び管を挿入するときに、簡易に脱着するための継ぎ手である。
【背景技術】
【０００２】  従来の管継ぎ手は外部嵌め込み式である。
【発明の概要】
【発明が解決しようとする課題】
【０００３】  これは次のような欠点があった。
（イ）従来の管継ぎ手は嵌め込み式であり、固く接続する為には強く差し込む必要があるが、管の接続を解除する時には強く差し込むほど分離が難しくなった。
（ロ）従来の管継ぎ手は外部接続型であり、接続部表面に段差が生じる為、管路等に差し込む時引きだす時に引っ掛かる事があった。
本発明は、これらの欠点を除く為になされたものである。
【課題を解決するための手段】
【０００４】  ［図１］において、連結しようとする管（１）の内径に適合する継手（２）若しくは棒の両端を細長く切り込み（３）、継手（２）の端部付近に管（１）の外径に合う突起部（４）を設ける。突起部（４）の形状は図面上部から見て円形とし、管（１）に同径の孔（７）を空ける。
突起部（４）の形状を継手短部正面で図示したものが［図２］である。この図における突起部（４）の側方角度（５）は鈍角となる。
突起部（４）の形状を継手長部正面で図示したものが［図３］である。この図における突起部（４）の側方角度（６）は直角若しくは鋭角とする。
本発明は、以上の構成よりなる簡易脱着継手である。
【発明の効果】
【０００５】  継手（１）の端部切り込み（３）を設けることにより端部が撓り、管（１）を方向（８）より差し込み易くなる。差し込んだ管（１）の円形孔（７）と継手突起部（４）が嵌合すると角度（６）の効果により抜けなくなる。
継手（２）を抜くときは管（１）を方向（９）へ捻ると、突起部角度（５）の効果により、突起部（４）が管（１）の内部に潜り込み、そこで（８）の反対方向に引き抜くと、容易く分離することが出来る。
【図面の簡単な説明】
【０００６】
【図１】  本発明の斜視図である。
【図２】  本発明の短部を正面に見た図である。
【図３】  本発明の長部を正面に拡大して見た図である。
【発明を実施するための形態】
【０００７】  以下、本発明を実施するための最良の形態について説明する。
接続しようとする管（１）は市販品を流用することが安価で容易いな為それを使用し、継手（２）の突起部（４）の間隔の半分を、管（１）の端部から取り、そこにドリルで孔あけのみ加工して使用する。
一般の外部筒状の継手と違い、接続された管と管の繋ぎ目には凸部が出来ないよう突起部を加工し、管を習動させても他所に引っ掛かる部分を無くする。
突起部（４）の縁面と継手（２）の本体とのなす角度が、横断面角度（５）を鈍角とし捻り解除（９）を容易にし、縦断面角度（６）を直角若しくは僅かばかり鋭角にする。
この簡易脱着継手使用時は、突起部（４）と管穴（７）が噛み合うよう差し込み固定し解除時は管を捻る事により突起部が管内に潜り込んだところで引き抜くと容易に外す事が出来る。
【符号の説明】
【０００８】１  接続管
２  簡易脱着継手
３  切り込み部
４  突起部
５  突起側方（鈍角）
６  突起前方（直角）
７  接続管丸孔
８  接続管差し込み方向
９  接続管解除方向
【図１】
2011079291.tif 000003
【図２】
2011079291.tif 000004
【図３】
2011079291.tif 000005
(57)【要約】【課題】  延長コードラム又は散水用のホースを収納するドラムで、コード等の巻き取り時、巻き取ったコード等がドラムの収納部からはみ出てしまい、ドラムに絡みつくという問題があった。これは延長コード・ホース等が巻き込まれるときに、コード等の位置がドラムの収納幅内の方向から外れた位置にあるときに生じる問題であった（図４参照）。【解決手段】  従来はドラムＡを回転させてコード等を巻き取る際に、ドラム直前にあるコード等の位置を手で制御しながらドラムを回転させ、コード等が側板３から逸脱しないようにして巻取りをしていた。  本発案は、コード位置の制御装置・中空回転棒６をドラムの本体の一部に装着することで問題を解決した。【選択図】図１
2011079659.tif 000002
【特許請求の範囲】
【請求項１】
延長コード又は、水用ホース（以後コードという）を巻き取るドラム本体の一部に、コードの巻き取り時に、巻き寄せられるコードがコードを収納するドラムの収納幅内に位置するように導入するための装置をしたコードドラム。
【発明の詳細な説明】
【技術分野】
【０００１】  本発明は、延長コード又は水用延長ホースを収納するドラムに関する。
【背景技術】
【０００２】  従来より、工場又は家庭等において作業所に電源がない場合、又は作業場所近くに水源がない場合ドラムに収納した延長コード或いは水用ホースを利用して電源を作業場所に確保したり、水源を作業場所まで引水したりして電気作業、洗車等をしている。【０００３】    前述の延長電気コード及び水用ホース（以下コードと言う）は、使用後にドラムに巻き取り収納する構造になっているが、実際問題としては、ドラムに巻き取る際にドラムの側板からコードがはみ出したりして、ドラムに絡みついてしまうという問題があった。
【発明の開示】
【発明が解決しようとする課題】
【０００４】    コードをドラムから外れるのを防止し絡みつきを防ぐためには、巻き寄せるコードをドラムの収納幅内（図面４３ａー３ｂ間）に位置制御することが効果的であった。【０００５】    そのため、実際には、片方の手でハンドル１を持ってドラムを回し、一方の手で子コード２を上記ドラムの収納範囲内に位置制御しながら巻き取る作業が行われている。【０００６】    本案は、従来手で調整していたコードの位置制御を、自動的に行うことを目的とした機能をドラムの本体の一部に装置することによって、コード等の絡みを防止し巻き取り作業の効率化を図ったものである。
【発明を実施するための形態】
以下、便宜的に延長電気コードドラムを一例として添付図面１及び２を参照しながら本発明を実施の形態に基づいて説明する。
【０００７】    図１は延長コードドラムの全体図である。図２は絡み防止を目的として装着した本案の一部を断面図で示した。図３は従来の延長コードドラムである。図４は従来の延長コードドラムであるが、コード等を巻き取る際の、コード等を収納するドラムの巻胴部とコードの位置関係について、絡みの原因となる一例を図示したものである。つまりコード２がコードの収納範囲（３ａ−３ｂ間）外に位置する状態を示したものであり、この状態でコードを巻き上げるとコードが絡む原因となるのである。
【０００８】    図１は本発案である中空回転棒６を装着した図であるが、装着によって、巻胴部９を回転させコード２を巻き込んでも、コード２は中空回転棒６に制御されて常にドラムの収納範囲内に位置することになるためコードの絡みは生じない。中空回転棒はドラムの底脚に固定された芯棒５を中心に回転する構造にあるため、コード２を巻き取るときにローラーの役目を果たすので、巻取り時の抵抗を少なくする効果もある。
【図面の簡単な説明】
【００１８】
【図１】本発明の一実施の形態のドラムの外観図である。
【図２】同（部分）横断図である。
【図３】従来の延長コードドラムの外観図である。
【図４】従来の延長コードドラムの外観図である。
【符号の説明】１    ハンドル
２    コード
３ａ  側板
３ｂ  側板
４ａ  固定ネジ
４ｂ  固定ネジ
５    芯棒
６    中空回転棒
７    支持脚
８    脚部
９    巻胴部
【図１】
2011079659.tif 000003
【図２】
2011079659.tif 000004
【図３】
2011079659.tif 000005
【図４】
2011079659.tif 000006
(57)【要約】      （修正有）【課題】海洋深層水によって養殖されたオゴノリの抽出物と泡盛そしてその製造過程から得られるもろみ酢を配合することによって、高保湿性により優れた皮膚外用剤を提供する。【解決手段】（１）海洋深層水で育てたオゴノリの抽出物と泡盛ともろみ酢とを含有する皮膚外用剤であること。この場合、海洋深層水がほぼ１００％を使用し、表層水などを混ぜる必要はないが、必要に応じて混ぜることも不可能ではない。（２）海洋深層水で育てたオゴノリの抽出物の含有率が1.0〜10.0重量％であること。（３）泡盛の含有率が0.1〜3.0重量％であること。（４）もろみ酢の含有量が0.1〜3.0重量％であること。【選択図】なし【特許請求の範囲】
【請求項１】
少なくとも、海洋深層水を利用して養殖したオゴノリから抽出したエキスと、泡盛と、泡盛蒸溜後のもろみから得たもろみ酢とを必須成分としたことを特徴する皮膚外用剤。
【請求項２】
海洋深層水で育てたオゴノリの抽出物の含有率が1.0 〜10.0重量％であること、
泡盛の含有率が0.1 〜3.0 重量％であること、
もろみ酢の含有量が0.1 〜3.0 重量％であること、
を特徴とする請求項１に記載の皮膚外用剤。
【請求項３】
前記の海洋深層水は、沖縄県島尻郡久米島町で取水したものであり、前記の泡盛ともろみ酢も、沖縄県島尻郡久米島町で製造されたものであることを特徴とする請求項１又は請求項２に記載の皮膚外用剤。
【発明の詳細な説明】
【技術分野】
【０００１】
本発明は、優れた保湿効果を有する化粧料に関する。
【背景技術】
【０００２】
保湿に優れている海藻（オゴノリも含む）の成分を配合することを特徴とした皮膚外用剤は、特許文献１などで既に知られている。また、高保湿を目的として日本酒を配合したことを特徴とした皮膚外用剤も特許文献２などで知られており、日本酒の醸造メーカーからも市販されている。
【０００３】
ところが、従来の海藻であるオゴノリの抽出物のほとんどが、海洋の表層域で養殖又は採取されたものが使用されている。また、酒類としても、清酒を配合した皮膚外用剤である。
【先行技術文献】
【特許文献】
【０００４】
【特許文献１】特許第３７４２６７２（特開平８−２５９４４３）
【特許文献２】特開２００６−１３１５６０
【発明の概要】
【発明が解決しようとする課題】
【０００５】
従来のオゴノリ抽出用の海藻であるオゴノリは、そのほとんどが、海洋の表層域で養殖又は採取されたものを使用しているが、海洋深層水で養殖されたオゴノリは表層水で養殖されたそれより、人間の体を構成するに必要な蛋白質、亜鉛および植物に特有なクロロフィルが多いことが分かっている。
そこで、この海洋深層水によって養殖されたオゴノリの抽出物と泡盛そしてその製造過程から得られるもろみ酢を配合することによって、高保湿性により優れた皮膚外用剤を提供することを課題とする。
【課題を解決するための手段】
【０００６】
本発明者が研究した結果、以下の含有量を採用することによって、人肌の保湿効果がより高まることが分かった。
（１）．海洋深層水で育てたオゴノリの抽出物と泡盛ともろみ酢とを含有する皮膚外用剤であること。この場合、海洋深層水がほぼ１００％を使用し、表層水などを混ぜる必要はないが、必要に応じて混ぜることも不可能ではない。
（２）．海洋深層水で育てたオゴノリの抽出物の含有率が1.0 〜10.0重量％であること。
（３）．泡盛の含有率が0.1 〜3.0 重量％であること。
（４）．もろみ酢の含有量が0.1 〜3.0 重量％であること。
【０００７】
（１）．本発明の必須成分であるオゴノリ抽出物
本発明に必須の成分であるオゴノリ抽出物は、久米島で取水されている清浄性に優れた海洋深層水で育てたオゴノリを使用する。この海洋深層水で育てたオゴノリは、前記のとおり、表層水で育てたオゴノリより、蛋白質、亜鉛やクロロフィルが多く含有されていることが分かっている。
表層水で育てたオゴノリより、人の皮膚の構成成分である蛋白質、ミネラルの亜鉛が多いということは、その保湿能力も優れている証拠である。海洋深層水で育てたオゴノリの抽出物は多く含有することが望ましいが、オゴノリの独特の匂いがある為1.0 〜10.0重量％までの配合が望ましい。
1.0 重量％より少ないと、保湿感が物足りないという問題があり、10.0重量％より多いとオゴノリ独特の匂いがきついという問題がある。
【０００８】
（２）．本発明の必須成分である泡盛ともろみ酢
本発明の皮膚外用剤に必須の成分である泡盛は、久米島で製造されているタイ米と黒麹を使用した焼酎である。泡盛は蒸留酒であるため、アミノ酸はほとんど含まれていないが、特有の保湿成分である高級アルコールが含まれ、独特の匂いがある。
一方、もろみ酢は、泡盛が蒸留された残りのもろみをしぼった液体で、表皮角質層の保湿因子であるアミノ酸が多く含まれ、人間の代謝に係るTCA 回路に必要なクエン酸も多く含まれていることが分かっている。
泡盛ともろみ酢の二つが合わさることで、タイ米に由来するすべてのエキスが含まれることになり、泡盛の有効成分ともろみ酢の有効成分の両方が人肌に作用すると理想的な保湿剤となる。
【０００９】
そして、この二つの泡盛ともろみ酢それぞれ多く配合することが望ましいが、この２種の必須成分も独特の匂いがある為、0.1 〜3.0 重量％までの配合が望ましい。
泡盛の含有量が0.１重量％より少ないと、保湿感が物足りないという問題があり、3.0 重量％より多いと、泡盛独特の匂いがきついという問題がある。
また、もろみ酢の含有量が0.１重量％より少ないと、保湿感が物足りないという問題があり、3.0 重量％より多いと、もろみ酢独特の匂いがきついという問題がある。
【００１０】
以上のように、海洋深層水で養殖されたオゴノリの成分と、泡盛ともろみ酢の３種の成分の相乗効果により、人肌に優れた保湿効果を実現している。
【発明を実施するための形態】
【実施例】
【００１１】
以下、実施例及び試験例を挙げて具体的に説明するが、本発明はこの実施例に限定されるものではない。まず、下記表１．に示す処方の化粧水を作成した。泡盛は１５度〜４０度が適しているが、２５度を使用した。
【００１２】
試験例
方法：表１．記載の化粧水を作成し、5 名の被験者に１ｍｌを手の甲に塗布し1 時間放置後に保湿の感覚を聞き取り調査した。その結果は表２．のとおりである。
【００１３】
【表１】
2011079769.tif 000002
【表２】
2011079769.tif 000003
【産業上の利用可能性】
【００１４】
以上のように、海洋深層水で養殖されたオゴノリの抽出物と、泡盛と、もろみ酢の３種の成分の相乗効果により、人肌に優れたシットリとした保湿効果を実現できる。
(57)【要約】【課題】産業廃棄物埋立場の残余年数も少なくなり、処分場の残余容量を圧迫している。廃棄物の再資源化を積極的に行い、調和のとれた用途開発の実施が必至である。【解決手段】本発明は、生コンスラッジ、珪藻土粕をセメントに作用させ、軽量コンクリート二次製品、路盤材等の製造方法。【選択図】なし【特許請求の範囲】
【請求項１】
生コンスラッジと珪藻土粕にセメントを混合した、軽量コンクリート二次製品の製造方法。
【請求項２】
ゴミスラッジと珪藻土粕にセメントを混合した、軽量コンクリート二次製品の製造方法。
【請求項３】
珪藻土粕にセメントを混合した以外の材料を混合した、軽量コンクリート二次製品の製造方法。
【請求項４】
請求項１から請求項３の混合割合による軽量コンクリート二次製品の種類は、趣旨を逸脱しない範囲の変更は、本発明に含まれる。
【発明の詳細な説明】
【技術分野】
【０００１】本発明は、珪藻土粕にセメントを混合した以外の廃棄物を有効活用および処理に関するものである。
【背景技術】
【０００２】生コンスラッジ、珪藻土粕は産業廃棄物であることから、管理型処分場で埋め立て処分をされているが、排出量の増大から管理型処分場の残余年数が少なくなっている現状である。【０００３】管理型処分場の新設は、開発行為、環境アセス、地元住民反対等で処分場の確保が困難であることが想定される。
【発明の開示】
【発明が解決しようとする課題】
【０００４】本発明は、強アルカリ性の管理型処分をされている生コンスラッジに珪藻土粕とセメントを混合割合をし、軽量二次製品を加工技術をもって製造することで管理型処分場の残余年数の延長が出来、経済的にも有効な技術の適用である。【０００５】生コンスラッジや珪藻土粕は、大量に発生することから、高額の廃棄費用が掛かり、企業経営に困難をきたしている状態の解決。【０００６】強アルカリ反応の大量発生する生コンスラッジや珪藻土粕の産業廃棄物を有効活用することを目的とする。
【課題を解決するための手段】
【０００７】セメント利用の多いわが国において、本発明の技術的な新規性、汎用性、派生効果を新たな市場創造の実用に向けて、社会的に安定した生コンスラッジの利用ができる体制、整備をするかどうかの受容面スタンスが大きく望まれる。【０００８】生コンスラッジの有効利用は、本発明においてその効果とリサイクルシステムの活用を特徴とした。
【発明の効果】
【０００９】本発明は、環境問題、環境保全、資源の有効利用の意識が高まっている今日において、生コンスラッジの有効利用方法として残りコン、戻りコン等によって発生する生コンスラッジの有効な、軽量コンクリート二次製品、再生路盤材等有効活用を特徴とした。【００１０】本発明は、生コンスラッジ、珪藻土粕を廃棄することなく加工、製造技術に取り組むことで成果を得た。【００１１】したがって、産業合致廃棄物を著しく低減することが出来る。【００１２】本発明は、有害物質は発生しない。【００１３】本発明の製造技術は、先進的な環境浄化とリサイクルに貢献する。
【発明を実施するための最良の形態】
【００１４】本発明を実施するには、生コンスラッジの受け入れリサイクル利用に関して、各県の所管の許可によって、生コン産業、産廃業者にとって活性化となる。【００１５】生コンスラッジ、珪藻土粕の無害化混合成形の形態である。【００１６】また、本発明の混合割合は、珪藻土粕５０％から７０％の配合割合に対して生コンスラッジ２０％から３０％、セメント１０％から２０％を添加し、一定水量の練り混ぜ成形を特徴とする。【００１７】これまで産業廃棄物として埋め立て処分していた生コンスラッジ、珪藻土粕のリサイクルとして再利用することが期待できた。
【産業上の利用可能性】
【００１８】生コンスラッジおよび混合物のいずれかの種類の組み合わせにおいても、スラッジの適切な混合率で、混合物用の材料として有効に利用できる。【００１９】コンクリート二次製品製造として、インターロッキングブロック、歩車道境界石等の製造が可能である。【００２０】上記のコンクリート二次製品は、用途の汎用性が多く本趣旨を逸脱しない範囲の変更は、本発明に含まれる。【００２１】環境の負荷を考慮した生コンスラッジ、珪藻土粕の有効利用を特徴とする。
(57)【要約】【課題】可燃廃棄資源の有効活用から活性炭、燃料への注目がある。炭化製造法は高額な設備投資を押さえ、比較的簡単な装置を用い、大量生産することができる。しかも、自然保護及び環境問題解決のできることを特徴とした。【解決手段】本発明は、上記諸課題を解決し、地域資源有効活用によって活性炭、燃料を得られることにより地域事業を育成し、さらに地域の産業開発となる。【選択図】なし【特許請求の範囲】
【請求項１】
木屑，糸屑、米糠、落ち葉、ゴム、プラスチックの粉砕等の可燃廃棄物を水ノリ及び澱粉資源を廃油８０℃±１０の混ぜ型枠の中にいれ、冷却、乾燥の後蒸し焼きにして活性炭及び燃料を製造する。
【請求項２】
上記廃油の代わりに水を使用する場合、混ぜ型枠にいれ、プレスをし、押出脱水後に、温風乾燥をして活性炭及び燃料を製造する。
【請求項３】
請求項１から請求項２の活性炭に木酢液、竹酢液、籾酢液を染みこませ消毒、殺菌、防虫、防腐、脱臭効果が得られることを特徴とする。
【請求項４】
請求項１の可燃物は、一種類、又は二種類以上の混合製造を可能とし、含有物質に伴う可燃物や本発明の趣旨を逸脱しない範囲の変更は本発明に含まれる。
【発明の詳細な説明】
【技術分野】
【０００１】本発明は、可燃廃棄物の木屑、糸屑、落ち葉、ゴム、プラスチック等の粉砕物を水ノリ及び澱粉資源等を混ぜ、型枠にいれ、プレス、押出成形をしてなる活性炭及び燃料。また活性炭に木酢液、竹酢液、籾酢液を染み込ませ消毒、殺菌、防虫、防腐、脱臭等の効果を図る。その製造方法に関する。
【背景技術】
【０００２】従来の活性炭及び燃料は、上記の単一物質を適当に焼いていた。しかし、自然破壊、環境破壊に繋がった。また従来の活性炭は、消毒、殺菌、防虫、防腐、脱臭等が弱かった。
【発明の開示】
【発明が解決しようとする課題】
【０００３】前記、従来の弱みをなくし、廃棄物で活性炭及び燃料を製造し、火力の強い燃料を製造する。木酢液、竹酢液、籾酢液等の含有使用で効き目の強い消毒、殺菌、防虫、防腐、脱臭等の活用で自然破壊、環境破壊を防ぐことを特徴とする本発明は、経済的、実用的な技術と言い切れる。【０００４】本発明は、このような実状に鑑みなされたものであり，廃棄物の有効活用技術開発でもって課題解決し、その提供を目的とする。
【課題を解決するための手段】
【０００５】課題を解決するための技術は、地球温暖化対策の一環であるところの炭酸ガスの発生削減と廃棄物リサイクル促進の循環型社会の構築と推進戦略を図ったことによって合理的構成が得られ、この発明に到達した。
【発明の効果】
【０００６】以上のように、廃棄物を目的にあったつきとめかたの本発明技術は、無駄なく発揮され環境への影響を低減するのを目的とする。よって、地域資源の利用技術となり地域産業に貢献をする。【０００７】本発明技術は、原理が簡単で経済的にも技術的にもエネルギーの変換技術として世界の製造方法といえる。【０００８】可燃廃棄物の活性炭及び燃料の製造方法、これらは安定、安全、しかも、実用用材である廃棄物の有効活用から安定供給ができる。
【発明を実施するための最良の形態】
【０００９】本発明は、一種類、又は二種類以上の混合廃棄物資源を有効に短時間で、効率よく、経済的に変換する技術に適している。【００１０】上記技術でもって、木屑、糸屑、米糠、ゴム、プラスチック等粉砕等の可燃廃棄物を水ノリ及び澱粉資源を廃油８０℃±１０の混ぜ型枠の中にいれ、冷却、乾燥の後蒸し焼きにして活性炭及び燃料を容易に出来ることを特徴とした。【００１１】上記廃油の代わりに水を使用する場合、混ぜ型にいれ、プレスをし、押出脱水後に、温風乾燥をして活性炭、燃料を製造する。【００１２】上記活性炭、燃料に木酢液、竹酢液、籾酢液等を染み込ませ消毒、殺菌、防虫、防腐、脱臭効果が得られることを特徴とした。
【産業上の利用可能性】
【００１３】本発明の、活性炭及び燃料の製造技術は、可燃廃棄物炭化処理によって得られる資源の有効への完全変換技術を提供するものであり、自然環境を重視した資源の変換製造方法、経済的に変換する技術、合理化ならびに作業能率に関する。
(57)【要約】【課題】不快な味を有するドネペジル塩酸塩を含有する経口薬剤組成物の不快な味を隠蔽した経口薬剤組成物。また、不快な味を有するドネペジル塩酸塩を配合する経口薬剤組成物の不快な味を隠蔽する方法。【解決手段】不快な味を有するドネペジル塩酸塩およびアルギン酸並びにその塩を含有する事により不快な味を隠蔽した経口薬剤組成物。また、不快な味を有するドネペジル塩酸塩にアルギン酸並びにその塩を配合する事を特徴とする不快な味を隠蔽する方法。【選択図】  なし【特許請求の範囲】
【請求項１】
不快な味を有するドネペジル塩酸塩およびアルギン酸並びにその塩を含有する不快な味を隠蔽した経口薬剤組成物。
【請求項２】
不快な味を有するドネペジル塩酸塩1重量部に対して、アルギン酸並びにその塩０．１〜２０重量部を含む請求項１に記載の経口薬剤組成物。
【請求項３】
請求項１、２に記載の経口薬剤組成物において、不快な味を有するドネペジル塩酸塩にアルギン酸並びにその塩を配合する事を特徴とする不快な味の隠蔽方法。
【発明の詳細な説明】
【技術分野】
【０００１】
本発明は、不快な味を隠蔽した経口薬剤組成物並びに不快な味の隠蔽方法に関する。
【背景技術】
【０００２】
不快な味を有する薬物のマスキングには多くの技術が開発されている。例えば、アルギン酸塩を加えて造粒し、アルギン酸の硬化剤溶液を噴霧する事によりなる被覆剤の製造方法（特開昭５１‐０７６４１３号公報）、Ｌ‐アスパラギン酸ナトリウムおよびプラム系フレーバーもしくはシトラス系フレーバー、更にコンドロイチン硫酸ナトリウムを配合する事により、肝臓加水分解物を含有する経口液剤の不快な風味の改善方法（特開平０５‐１６３１５４号公報）、イブプロフェン、増粘剤および界面活性剤の共存下で加熱処理する事により苦味を軽減した混濁液の提供方法（特開平０８‐３３３２４５号公報）、非ステロイド性解熱鎮痛消炎剤をアルギン酸塩の水溶液に接触させる事により不快な味を隠蔽する方法（特開平１０‐１１４６８３号公報）等が知られている。
【先行技術文献】
【特許文献】
【０００３】
【特許文献１】特開昭５１‐０７６４１３号公報
【特許文献２】特開平０５‐１６３１５４号公報
【特許文献３】特開平０８‐３３３２４５号公報
【特許文献４】特開平１０‐１１４６８３号公報
【発明の概要】
【発明が解決しようとする課題】
【０００４】
不快な味を有する薬物のマスキングを目的として、多くの技術が検討されているが、マスキング効果が不充分である事、製造工程の複雑性等の問題があり、更なる技術が求められている。
【課題を解決するための手段】
【０００５】
本発明は、不快な味を有するドネペジル塩酸塩およびアルギン酸並びにその塩を含有する不快な味を隠蔽した経口薬剤組成物である。又、本発明は、不快な味を有するドネペジル塩酸塩にアルギン酸並びにその塩を配合する事を特徴とする不快な味を隠蔽する方法である。
【０００６】
本発明におけるドネペジル塩酸塩は化学名（±）‐２‐［（１‐ｂｅｎｚｙｌｐｉｐｅｒｉｄｉｎ‐４‐ｙｌ）ｍｅｔｈｙｌ］‐５，６‐ｄｉｍｅｔｈｏｘｙｉｎｄａｎ‐１‐ｏｎｅ  ｍｏｎｏｈｙｄｒｏｃｈｌｏｒｉｄｅであり、アルツハイマー型認知症の中核症状である認知機能障害の進行を抑制するアルツハイマー治療剤であるが、口に含むと激しい苦味および口腔内の痺れを呈する。
【０００７】
本発明における経口薬剤組成物の剤形は、固形剤として経口的に服用される剤形を意味し、固形剤の具体的な例として顆粒剤、細粒剤、散剤、錠剤、丸剤等を挙げる事ができる。
【０００８】
本発明に係る経口薬剤組成物の投与方法は特に限定されず、薬物の性質により、食前、食後又は食間に１日１回から数回経口的に投与する事ができる。
【０００９】
本発明における、ドネペジル塩酸塩とアルギン酸並びにその塩の割合は、一般に、ドネペジル塩酸塩１重量部に対し、アルギン酸並びにその塩０．１から２０重量部であり、このましくは、０．５から１０重量部である。本発明に係る経口薬剤組成物は、ドネペジル塩酸塩とアルギン酸並びにその塩を均一に混合する事により不快な味の隠蔽効果が得られる。又ドネペジル塩酸塩とアルギン酸並びにその塩、更には賦形剤等を混合し、水やエタノール等の溶媒で造粒する事によっても不快な味の隠蔽効果が得られる。必要に応じて溶媒中に結合剤を溶解し造粒する事によっても不快な味の隠蔽効果が得られる。
【００１０】
本発明に係る不快な味を隠蔽した経口薬剤組成物の製造方法は特に限定されず一般に用いられる方法による事ができる。例えば、錠剤の場合は、ドネペジル塩酸塩、アルギン酸もしくはアルギン酸塩、更に乳糖、マンニトール、デンプン、結晶セルロース等の賦形剤、カルボキシメチルセルロース等の崩壊剤等を混合し、ヒドロキシプロピルセルロース等の結合剤を溶解した溶液を添加しながら、通常用いられる造粒・乾燥・打錠装置を用いて製造できる。更に、ショ糖、キシリトール、マンニトール、ソーマチン、スクラロース、アスパルテーム、サッカリン等の甘味剤、メントール、バニラエッセンス、アップルフレーバー等の矯味剤等を加える事もできる。
【発明の効果】
【００１１】
本発明に係る経口薬剤組成物は、ドネペジル塩酸塩特有の苦味、痺れ等の不快な味が隠蔽されているため、非常に服用しやすいものである。
【発明を実施するための形態】
【００１２】
不快な味を有するドネペジル塩酸塩について、充分なマスキング効果が得られ、且つ特殊な製造技術を要しない不快な味を隠蔽した経口薬剤組成物の作製、並びに隠蔽する方法を実現した。
【実施例１】
【００１３】
ドネペジル塩酸塩１ｇ、アルギン酸１ｇ、Ｄ‐マンニトール７ｇ、軽質無水ケイ酸１ｇを均一に混合した後、水約２ｇを徐々に添加して乳鉢造粒し、乾燥後３０号篩で篩過して造粒物を得た。造粒物５０ｍｇ（ドネペジル塩酸塩として５ｍｇ相当量）を口に含み、苦味と痺れの程度を５段階で評価した。評価は１０人で実施し、表１のとおり評価基準を設け、評価結果を平均、比較した。
【実施例２】
【００１４】
実施例２
実施例１と同様の方法で、アルギン酸の代わりにアルギン酸ナトリウムを使用し評価を行った。
[比較例１]
【００１５】
実施例１と同様の方法で、アルギン酸の代わりに寒天を使用し評価を行った。
[比較例２]
【００１６】
実施例１と同様の方法で、アルギン酸の代わりにカルメロースナトリウム（ＣＭＣ‐Ｎａ）を使用し評価を行った。
【００１７】
評価基準を表１に、実施例１、２および比較例１、２の結果を表２に示した。
【００１８】
【表１】
2011079784.tif 000002
【００１９】
【表２】
2011079784.tif 000003
【００２０】
表２から明らかなように、アルギン酸並びにその塩を使用する事によってドネペジル塩酸塩特有の不快な苦味、痺れが抑制された。
(57)【要約】【課題】既存の圧縮機械に、さらに、効率の上がる圧縮機械がないものか課題としていた。対応装置を装備し、有用な効果のもたらすことを目的とする。【解決手段】その為、堆積物に均一な下方圧力効果を図り、堆積物の密度効果を有効に取り入れた有用な装置を設置する。【選択図】なし【特許請求の範囲】
【請求項１】
既存の圧縮機械に圧縮効果を高めた圧縮装置を有せしめたことを特徴とする。
【請求項２】
圧縮装置の緩やかな先端圧縮に、より流体密度を増し、より圧縮された堆積物効果を特徴とする。
【請求項３】
堆積物の流体密度により、堆積物に貫入する突起面体構造を円錐型、多角円錐型、円柱型、多角円柱型、角柱型、多角角柱型、様々な角度を取り入れた貫入突起面体先端圧縮構造体又はそれらを複数の組み合わせによる構造体を可能とする。
【請求項４】
上記の先端部は、取り外しを可能とする。
【発明の詳細な説明】
【技術分野】
【０００１】本発明は、流体堆積物貫入突起面体構造をもって圧縮効果をなす流体圧縮装置の提供。
【背景技術】
【０００２】従来の圧縮装置は、圧縮後の密度の締めが十分とは言えず、解ける発生、飛散発生等の課題を残している。
【発明の開示】
【発明が解決しようとする課題】
【０００３】本発明の流体圧縮機械は、堆積物の流体密度を増すことにより作業効率を高める。
既存の圧縮機械に、本装置を有せしめる効果は、結束設置することを有しての、簡易で安価な装置を提供することを目的とする。
【課題を解決するための手段】
【０００４】本発明は、既にある圧縮機械に流体装置を設置することにより、堆積物の下方圧縮重力を可能とし、上記目的を達成する。
【発明の効果】
【０００５】堆積物を密度の増した処理工法にすることで、作業効率効果機能を備える。【０００６】紙類処理、金属類処理、廃棄物処理等は、密度の高い圧縮処理によって、作業処理、運搬を容易にすることから経済効果を生む。【０００７】流体圧縮機械は、取り外しを可能とし、移動を可能とすることから効果効率が発揮できる。【０００８】本発明の流体圧縮機械は、既存の圧縮機械の汎用装置に共有使用を可能としたことから利用範囲が広い。
【発明を実施するための最良の形態】
【０００９】本発明の実施形態は堆積物の圧縮に実施済であり、効果、効率的に活用できることを特徴とする。【００１０】既存の公知な圧縮機械に、本流体圧縮機械を装置したことを特徴とする。【００１１】流体圧縮機械は、流体密度によって、堆積物に貫入する突起面体構造を円錐型、多角円錐型円柱型、多角円柱型、角柱型、多角角柱型，様々な角度をなした貫入突起面構造にした圧縮装置を特徴とする。【００１２】既存の圧縮機械の機能に共有した流体圧縮機械は、上記構造面の単一、もしくは組み合わせ構造を可能とし、移設、移動を可能とした多機能を特徴とする。【００１３】流体圧縮構造は、形状、強度、素材等実態の状況把握によって対応策を考慮したことを特徴とすることから、本発明趣旨を逸脱しない範囲の変更は、本発明に含まれる。
【産業上の利用可能性】
【００１４】本発明の流体圧縮機械は、堆積物の圧縮機能を高める機械であり、作業効率、能率向上が発揮される。【００１５】さらに、簡単な組立でしかも安価で安心、安全な機械を提供し、産業の育成に貢献できる。
(57)【要約】【課題】ポンプ式容器の散乱を防ぎ、一体化によりポンプ式容器の製造、物流コスト削減。【解決手段】ポンプ式容器の一体化です。【選択図】図１
2011079577.tif 000002
【特許請求の範囲】
【請求項１】
２個、３個と一体化を特徴とするポンプ式容器。
【請求項２】
また用途に応じ何個でも連結可能な請求項１に記載のポンプ式容器。
【発明の詳細な説明】
【技術分野】
【０００１】本考案は、ポンプ式詰め替え容器を２個、３個と一体化させたものである。
【背景技術】
【０００２】現状の浴室では、家族の中でも異なる製品（シャンプー、リンス、ボディシャンプーハンドソープ等）を使う傾向があり、その場合その製品が散乱してしまう。
また、近年では洗面化粧台でもその傾向がある。
【発明の概要】
【発明が解決しようとする課題】
【０００３】浴室、又は洗面化粧台でのポンプ式製品の散乱を防ぐ。【０００４】１つのポンプ式詰め替え容器を２個、３個と一体化させることによって材料を節減する。【０００５】製造、物流コストの削減。
【課題を解決するための手段】
【０００６】容器を２個、３個と一体化させることによって２個、３個分の容器の散乱を防ぐ。【０００７】仮に、四角い容器だと２個、３個と重ねたときの接点は２重になり片面は不要になる。【０００８】３個の容器を製造するとき３回分の工程時間を要するのに対し３個分の容器を１回分の工程時間で製造することができる【０００９】２個、３個の一体化容器により容器がコンパクトになります。
【発明の効果】
【００１０】浴室、又は洗面化粧台でのポンプ式製品の散乱を防ぎ、コンパクト化により浴室、又は洗面化粧台を容易に整理することができます。。【００１１】容器の材料を節減することができます。【００１２】容器の製造時間を短縮することでコストの削減になります。【００１３】２個、３個の一体化容器により容器がコンパクトになることで１回の運搬でより多くの製品を搬送することで物流コストの削減になります。
【図面の簡単な説明】
【００１４】
【図１】本発明の形態を示す図
【図２】本発明を上から見た図
【図３】本発明を正面から見た図
【図４】本発明を横から見た図
【図５】本発明の搬送時の状態を上から見た図
【図６】本発明の搬送時の状態を正面から見た図
【図７】本発明の搬送時の状態を横から見た図
【図８】従来品の搬送時の状態を上から見た図
【図９】従来品の搬送時の状態を正面から見た図
【図１０】従来品の搬送時の状態を横から見た図
【発明を実施するための形態】
【００１５】本発明の実施の形態を図１〜図１０に基ずいて説明します。
また、図１は１個５００ｍｌと想定し容器３個を一体化した図である。
【００１６】図１〜図４においては本発明品を示す。
このように一体化することによりコンパクトになり、散乱を防ぎます。
【００１７】図５〜図７においては本発明品の搬送時の状態を示したものである。
【００１８】図８〜図１０においては従来品の搬送時の状態を示したものである。
従来品においては１１部分の空間ができてしまい搬送において不必要な空間である。
【００１９】３においてはポンプ使用時の上に上がった状態である。
７，１１においては搬送時の下に下がった状態である。
【００２０】搬送時大型トラック荷台の寸法が長さ１０ｍｘ幅２．１ｍとしたとき図５では幅方向を５とした時１１個並びますが図８では幅方向を９とした時１０個しか並びません。
また、図５の長さ方向を６とした時８３個並びますが図８では幅方向を１０とした時７１個しか並びません、この例は１段で積んだときの例です。
この例は、図８の従来品６個を１とし、図５の本発明品２個を１として計算したものである。
【符号の説明】
【００２１】１        本発明品を上から見た寸法１８ｃｍを示す。
２        本発明品を上から見た寸法６ｃｍを示す。
３        ポンプ使用時の上に上がった状態である。
４        本発明品の高さ１６ｃｍを示す。
５        本発明品の搬送時の状態を上から見た寸法１８ｃｍを示す。
６        本発明品の搬送時の状態を上から見た寸法１２ｃｍを示す。
７        搬送時本発明品のポンプが下に下がった状態である。
８        本発明品の搬送時の高さ１６ｃｍを示す。
９        従来品の搬送時の状態を上から見た寸法２１ｃｍを示す。
１０      従来品の搬送時の状態を上から見た寸法１４ｃｍを示す。
１１      従来品の搬送時の隙間を示す。
１２      搬送時従来品のポンプが下に下がった状態である。
１３      従来品の搬送時の高さ１６ｃｍを示す。
【図１】
2011079577.tif 000003
【図２】
2011079577.tif 000004
【図３】
2011079577.tif 000005
【図４】
2011079577.tif 000006
【図５】
2011079577.tif 000007
【図６】
2011079577.tif 000008
【図７】
2011079577.tif 000009
【図８】
2011079577.tif 000010
【図９】
2011079577.tif 000011
【図１０】
2011079577.tif 000012
(57)【要約】      （修正有）【課題】外出先・日常生活・旅行先でコップ等がなくても、気軽にうがいができるようにする。【解決手段】市販されているペットボトルを使用して、うがい薬をうがいに適した濃度にはじめから希釈して、ペットボトルに入れる事により、いつでも何処でも素早くうがいができる。【選択図】なし【特許請求の範囲】
【請求項１】
外出先・日常生活・旅行先でコップ等がなくても、気軽にうがいができるペットボトル。
【請求項２】
ペットボトルの性質上、持ち運びに便利である事からいつでも何処でも素早くうがいが可能、うがいだけでなく手洗いにも使用可能。
【発明の詳細な説明】
【技術分野】
【０００１】本発明は、市販されている何処でも手に入るペットボトルに特化した（素早く、直ぐにうがいが可能な）うがい薬の販売方法に関する。
【背景技術】
【０００２】従来は、紙コップを使用したものがある。
【発明の概要】
【発明が解決しようとする課題】
【０００３】ところが、前記のものでは、コップがなければうがいが困難であり、又、使い終わったコップの廃棄に時間を要する（苦慮する）場合があった。【０００４】そこで、本発明は、外出先・日常生活・旅行先でコップ等がなくても、気軽にうがいができる様ペットボトルを使用して、いつでも何処でも素早くうがいができる事を目的とする。
【課題を解決するための手段】
【０００５】請求項１に記載の発明は、うがい薬をうがいに適した濃度にはじめから希釈して、ペットボトルに入れる事により、外出先・日常生活・旅行先でコップ等がなくても、気軽にうがいができる。【０００６】請求項２に記載の発明は、外出先で使用した際に洗面所等を汚しにくい色にし、衛生面に配慮、又、キャップの色を飲料用ペットボトルと区別する事によって、誤飲を防ぐようにした。
【発明の効果】
【０００７】請求項１に記載の発明によれば、外出先・日常生活・旅行先でコップ等がなくても、気軽にうがいができ、又、いつでも何処でもうがいができる。又、うがいだけでなく手洗いにも使用可能である事と、ペットボトル用のホルダー等を使用する事によって、持ち運びに便利である事から、素早く手軽にうがいができる。【０００８】請求項２に記載の発明は、キャップの色を飲料用ペットボトルと区別する事によって、誤飲を防ぐように考慮している事や、外出先で使用した際に洗面所等を汚しにくい色にし、衛生面に配慮した事からペットボトルを使用する事で発生する問題点の回避が可能となる。又、用途に合わせてサイズが選べる。
(57)【要約】      （修正有）【課題】ペットボトル廃棄時、キャップを強く引っぱれば、キャップリングをペットボトル本体より分離することができるようにした、リサイクル分別が楽に出来るキャップを提供する。【解決手段】連結帯３をキャップリング２に繋ぐことで、キャップ１とペットボトル本体を連結させたので、ペットボトルの内容物を注ぐ時、キャップを手で持ったり、下に置いたりする必要がなく、落下や紛失を防ぐことが出来る。キャップ取り外し時、キャップをゆるめきった状態であれば、指一本でキャップに力を加えるだけで横に倒して固定できるようにし、再びキャップを閉口しようとする時も、指一本でキャップに力を加えるだけでペットボトル口に被せられるよう。また、キャップリングに切れ目をいれ、キャップを強くひっぱることにより容器本体からリングを取り外し易くした。【選択図】図１
2011079580.tif 000002
【特許請求の範囲】
【請求項１】
容器本体、キャップ、キャップのすぐ下についたリング、キャップとリングを繋ぐ連結帯で構成されており、リングにはその連結帯を通す穴が設けられており、キャップをゆるめたり、しめたりした時にキャップとリングが同様に回転するとともに、連結帯がリングの穴を通過し、キャップ取り外し時にはキャップを横に倒すと、リング穴が連結帯の定位置に来ることにより、キャップがしっかりと固定される容器。
【請求項２】
前記のリングに切れ目をいれ、キャップを強くひっぱることにより容器本体からリングを取り外しし易くする請求項１記載の容器。
【発明の詳細な説明】
【技術分野】
【０００１】  本発明は、ペットボトルのキャップにホルダー機能を持たせることと、ペットボトル廃棄時にキャップの分別を容易にするものである。
【背景技術】
【０００２】  従来は、ペットボトルの内容物を注ぐ時、キャップを手で持つか下に置かなければならなかった。また、ペットボトル廃棄時は、ペットボトル開封時に残るキャップリングを、ペットボトル本体から手軽に取り外すことができなかった。
【先行技術文献】
【特許文献】
【０００３】
【特許文献１】特開２００７−１５７５８号広報
【発明の概要】
【発明が解決しようとする課題】
【０００４】  特許文献１で、キャップ落下防止の為に、キャップとペットボトル本体を、連結帯で繋ぐという提案がなされている。しかしながら、キャップを開閉する時連結帯が邪魔になると思われる。また、ペットボトル本体も改良しなければ、キャップ開口時にキャップを固定することが出来ない。
【課題を解決するための手段】
【０００５】  本発明では、キャップに繋がる連結帯をキャップ下部に繋ぐことで、連結帯を気にせずにキャップを開閉することが出来る。また、キャップ取り外し時はキャップを横に押し倒すだけでしっかり固定される。
【発明の効果】
【０００６】  キャップと、ペットボトル開封時に残るキャップリングを連結させたので、ペットボトルの内容物を注ぐ時、キャップを手で持ったり、下に置いたりする必要がなく、落下や紛失を防ぐことが出来る。【０００７】  キャップ取り外し時、キャップをゆるめきった状態であれば、指一本でキャップに力を加えるだけで横に倒して固定できるようにした。（例えペットボトルを逆さまにしても固定されたキャップは動かない。）そしてその状態から再びキャップを閉口しようとする時も、指一本でキャップに力を加えるだけでペットボトル口に被せられるようにした。その為開封済みのペットボトルであれば、片手でも従来のものより容易にキャップの開閉ができる。【０００８】ペットボトルに直接口をつけて内容物を飲む場合も、キャップ及び連結帯が顔に当たらないようにしたので、不快にならない。【０００９】  ペットボトル廃棄時は、キャップを強く引っぱれば、キャップリングをペットボトル本体より分離することができるようにしたので、リサイクル分別が楽に出来る。
【図面の簡単な説明】
【００１０】
【図１】  本発明のキャップ閉口時の状態を示した斜視図である。
【図２】  本発明のキャップ取り外し時の状態を示した斜視図である
【発明を実施するための最良の形態】
【００１１】以下、本発明の実施の形態について、図面を参照しつつ、説明する。
【実施例】
【００１２】  連結帯３は帯状の物を二つ折りにした形で、上方がキャップ本体と一体になっており、下方の折り返し地点はゆるやかなカーブを描いている。その連結帯３の内側のみ、キャップリング２と一体になっている連結帯通し部５の穴に通っている。【００１３】  キャップをゆるめる時は、キャップ本体１とキャップリング２が同時に回転しながら、連結帯３が連結帯通し部５の穴を通過する。キャップ本体１がゆるみきった状態で横に倒したら、キャップ固定突起４が連結帯通し部５の下部に接触し、図２に示した状態でキャップが固定される。【００１４】  ペットボトル廃棄時には、キャップ本体１を強く引っ張ることで、切れ目６によりキャップリング２が切断される。本発明のキャップは、同一の素材で構成できる為、リサイクル分別が容易である。
【応用例】
【００１５】  本発明のキャップはペットボトル以外の容器でも応用可能である。ペットボトル以外の容器には、通常キャップリング２が付いていないが、それに変わるリングを取り付けられるようにすることで、本発明のキャップを利用することが出来る。
【符号の説明】
【００１６】１  キャップ本体
２  キャップリング
３  連結帯
４  キャップ固定用突起
５  連結帯通し部
６  切れ目
７  ペットボトル注ぎ口
【図１】
2011079580.tif 000003
【図２】
2011079580.tif 000004
(57)【要約】      （修正有）【課題】複数の瓶ビール等飲料を冷却しつつ栓抜きと共に提供できる運搬可能なボックスを提供する。【解決手段】ビールの温度が上昇するのを回避するために発泡スチロール材を用い、本体にビール瓶の直径より２ｍｍ大きい穴を設け、冷やした瓶ビール及びチューハイグラスを穴に入れることにより、運搬と温度上昇の防止出来、さらに上下両面に深い長穴を設けた事により、栓抜きの収納と逃がしが可能となる。発泡スチロールなどの断熱材にビール瓶の入れる穴を設けるのみで、ビールの温度上昇を防止することが可能な簡易な運搬可能なボックスとなる。【選択図】図１
2011079576.tif 000002
【特許請求の範囲】
【請求項１】
瓶ビールなどの保冷、保温対象物が挿脱可能な複数の止まり穴を設けられた断熱材で形成した保冷、保温ボックス。ボックス本体にビールの栓抜きを入れる場所として、本体の上面の所定した位置に長穴が設けられている特徴とする。
【請求項２】
ボックス本体に瓶ビールの栓抜きをつける位置が設けられ、栓抜きが付いた状態で重ねて収納するために、本体の下面に栓抜きの逃がしを設けられた特徴とする瓶ビール、ドリンクの保冷、保温、運搬ボックス。
【発明の詳細な説明】
【利用分野】
【０００１】本発明は加熱又は冷却したビール及びドリンクを収納して、飲食店、ホテルなどの会場へ運搬、および飲み切るまでに一時保管の保温、保冷に利用する器具です。
【背景技術】
【０００２】従来、宴会場にビールを持ち運び専用ケースがありますが、お客様が、運ばれてきたビールをすぐに飲めないので、時間が経つと、せっかく冷やしたビールがぬるくなります。またクーラーボックスなどに氷を入れて、ドリンクとビールを冷やす方法もありますが。時間が経つと、氷が溶けて、水が発生しています。アルコールを飲んだお客様にクーラーボックスにぶつけたりすると、水を溢すケースも発生していました。さらに、持ち運びにケースが重くなり、従業員が大変疲れるのです。
【発明が解決しようとする課題】
【０００３】こういう発想が始めたのは、私は飲食店を経営していて、当店で宴会をやっているお客様にビールを運ぶときに思い付いたのです。上述２の問題を回避するために、注文ごとにビールを冷蔵庫から取り出し、一回に運べる量が少なくて、従業員が行ったり来たりして、大変忙しいです。
【０００４】上述問題以外にお客様は熱いお茶などの熱い飲み物を注文するときもあります。通常はお盆に載せてお出ししていますが、運搬途中にビール瓶、飲み物の容器が転倒し、落下するケースもあります。さらに、抜き栓は別の場所に収納してあり、ビールを出してから、栓抜きを探す手間もかかります。
【発明の概要】
【０００５】  本発明を使用することによって、ビール瓶、飲み物の容器の転倒、落下の防止が出来ました。お客様に冷たいビールを提供する上に、従業員の負担も軽減できる方法として、発明しました。
【課題を解決するための手段】
【０００６】発泡スチロール材を使用し、本体にビール瓶の直径より２ｍｍ大きい穴を設けてあり、冷やした瓶ビール及びチューハイグラスを穴に入れることにより、便利な運搬と温度上昇の防止が出来ます。
【発明の効果】
【０００７】五十分間のテストにより、本発明に入れてあるビールと本発明に入れてないビールの温度差が４℃もあります。温度上昇の防止が証明できました。【０００８】本発明の本体に設けている穴はビール瓶の肩までの深さがあり、お盆の運搬よりは、瓶の転倒、落下を完全に防止できました。【０００９】本体の上面に設けている長穴は瓶ビールの栓抜きの収納ができます。更に本体の下面にも長穴が設けてあり、栓抜きが付いた状態で本体の重ね収納が出来ます。
【図面の簡単な説明】
【図１】本発明の斜視面である。
【図２】本発明の断面の斜視面である。
【図３】本発明の下面の斜視面である。
【産業上の利用可能性】お客さんが喜ぶ：時間が経っても、冷やしたビールがぬるくならない事により、お客様が美味しいビールを召し上がっていただけます。
従業員が楽：一度に大量のビールをお客さんに提供しても、ビールがぬるくなる心配がないため、頻繁にお客さんのところに行ったり、来たりする手間が省く。
収納が簡単：使用されないときに、栓抜きが付いたままで収納出来ます。
【符号の説明】穴１〜６はビール瓶及びグラスの入れる場所である。穴Ａは瓶栓抜きの入れる場所である。穴Ｂはビール栓抜きの逃がしである。穴ａ〜ｄは紐の入れ穴である。
【図１】
2011079576.tif 000003
【図２】
2011079576.tif 000004
【図３】
2011079576.tif 000005